(57)【特許請求の範囲】
【請求項１】
記録媒体を冷却する冷却部と、
前記冷却部により温度が低下した状態の記録媒体を加湿する加湿部と、
前記加湿部で加湿された記録媒体に液滴を吐出する吐出部と、
を備え、
前記冷却部は、
前記吐出部へ搬送されている記録媒体が巻き掛けられる冷却ロールで該記録媒体を１０℃以上２０℃以下に冷却し、
前記加湿部は、
前記記録媒体における該冷却ロールに巻き掛けられた部分に、加湿された空気を吹き付ける
吐出装置。
【請求項２】
記録媒体を冷却する冷却部と、
前記冷却部により温度が低下した状態の記録媒体を加湿する加湿部と、
前記加湿部で加湿された記録媒体に液滴を吐出する吐出部と、
を備え、
前記冷却部は、
前記吐出部へ搬送されている記録媒体が巻き掛けられる冷却ロールで該記録媒体を冷却し、
前記加湿部は、
前記記録媒体における該冷却ロールに巻き掛けられた部分に、加湿された空気を吹き付け、
加湿された気体を記録媒体へ供給する供給幅が記録媒体の幅以下であり、
前記供給幅を調整可能な調整機構を有する
吐出装置。
【請求項３】
前記冷却部の冷却温度が予め定められた基準冷却温度より高いこと、前記記録媒体の媒体温度が予め定められた基準媒体温度よりも高いこと、前記吐出装置内の装置内温度が予め定められた基準装置内温度よりも高いこと、及び前記記録媒体の含水率が予め定められた基準含水率よりも低いことの少なくとも１つの条件を満たす場合において、
前記加湿部の加湿量が予め定められた設定値よりも多くなるように前記加湿部を制御する制御部を有する
請求項１又は２に記載の吐出装置。
【請求項４】
前記記録媒体の媒体温度が予め定められた基準媒体温度よりも高いこと、前記吐出装置内の装置内温度が予め定められた基準装置内温度よりも高いこと、及び前記記録媒体の含水率が予め定められた基準含水率よりも低いことの少なくとも１つの条件を満たす場合において、
前記冷却部の冷却温度が予め定められた設定値よりも低くなるように前記冷却部を制御する制御部を有する
請求項１〜３のいずれか１項に記載の吐出装置。
【請求項５】
記録媒体の一方の面に液滴を吐出する第１の吐出部と、
前記第１の吐出部から液滴が吐出された前記記録媒体を乾燥する第１の乾燥部と、
前記第１の乾燥部によって乾燥された前記記録媒体の表裏を反転させる反転機構と、
前記反転機構によって反転された前記記録媒体の他方の面に液滴を吐出する第２の吐出部と、
前記第２の吐出部から液滴が吐出された前記記録媒体を乾燥する第２の乾燥部と、
を備え、
前記反転機構は、
前記記録媒体を冷却する冷却ロールと、
前記記録媒体における該冷却ロールに巻き掛けられた部分に、加湿された空気を吹き付ける加湿部と、
を有する
吐出装置。
【請求項６】
液滴を吐出する吐出部へ向けて搬送される記録媒体を冷却する冷却部と、
前記冷却部により温度が低下した状態の記録媒体を加湿する加湿部と、
を備え、
前記冷却部は、
前記吐出部へ搬送されている記録媒体が巻き掛けられる冷却ロールで該記録媒体を冷却し、
前記加湿部は、
前記記録媒体における該冷却ロールに巻き掛けられた部分に、加湿された空気を吹き付け、
加湿された気体を記録媒体へ供給する供給幅が記録媒体の幅以下であり、
前記供給幅を調整可能な調整機構を有する
加湿装置。
【請求項７】
前記冷却部の冷却温度が予め定められた基準冷却温度より高いこと、前記記録媒体の媒体温度が予め定められた基準媒体温度よりも高いこと、前記加湿装置内の装置内温度が予め定められた基準装置内温度よりも高いこと、及び前記記録媒体の含水率が予め定められた基準含水率よりも低いことの少なくとも１つの条件を満たす場合において、
前記加湿部の加湿量が予め定められた設定値よりも多くなるように前記加湿部を制御する制御部を有する
請求項６に記載の加湿装置。
【請求項８】
前記記録媒体の媒体温度が予め定められた基準媒体温度よりも高いこと、前記加湿装置内の装置内温度が予め定められた基準装置内温度よりも高いこと、及び前記記録媒体の含水率が予め定められた基準含水率よりも低いことの少なくとも１つの条件を満たす場合において、
前記冷却部の冷却温度が予め定められた設定値よりも低くなるように前記冷却部を制御する制御部を有する
請求項６又は７に記載の加湿装置。
【発明の詳細な説明】
【技術分野】
【０００１】
本発明は、吐出装置、加湿装置に関する。
【背景技術】
【０００２】
特許文献１には、記録手段に進入する前のシートに加湿空気を供給し、シートの水分含有量を高める加湿空気供給手段を有する構成が開示されている。
【先行技術文献】
【特許文献】
【０００３】
【特許文献１】特開２０１１−１２１３５４号公報
【発明の概要】
【発明が解決しようとする課題】
【０００４】
記録媒体を加湿して吐出部に搬送する構成でも、記録媒体が常温であると、記録媒体の含水率が低いままで吐出部に搬送され、記録媒体がノズルから吸湿してノズルが乾燥する場合がある。
【０００５】
本発明は、常温の記録媒体を加湿する構成に比べ、吐出部の乾燥を抑制することを目的とする。
【課題を解決するための手段】
【０００６】
請求項１の発明は、記録媒体を冷却する冷却部と、前記冷却部により温度が低下した状態の記録媒体を加湿する加湿部と、前記加湿部で加湿された記録媒体に液滴を吐出する吐出部と、を備える。
【０００７】
請求項２の発明では、前記加湿部は、加湿された気体を記録媒体へ供給する供給幅が記録媒体の幅以下である。
【０００８】
請求項２の発明では、前記加湿部は、前記供給幅を調整可能な調整機構を有する。
【０００９】
請求項３の発明は、前記冷却部の冷却温度が予め定められた基準冷却温度より高いこと、前記記録媒体の媒体温度が予め定められた基準媒体温度よりも高いこと、前記吐出装置内の装置内温度が予め定められた基準装置内温度よりも高いこと、及び前記記録媒体の含水率が予め定められた基準含水率よりも低いことの少なくとも１つの条件を満たす場合において、前記加湿部の加湿量が予め定められた設定値よりも多くなるように前記加湿部を制御する制御部を有する。
【００１０】
請求項４の発明は、前記記録媒体の媒体温度が予め定められた基準媒体温度よりも高いこと、前記吐出装置内の装置内温度が予め定められた基準装置内温度よりも高いこと、及び前記記録媒体の含水率が予め定められた基準含水率よりも低いことの少なくとも１つの条件を満たす場合において、前記冷却部の冷却温度が予め定められた設定値よりも低くなるように前記冷却部を制御する制御部を有する。
【００１１】
請求項６の発明は、液滴を吐出する吐出部へ向けて搬送される記録媒体を冷却する冷却部と、前記冷却部により温度が低下した状態の記録媒体を加湿する加湿部と、を備える。
【００１２】
請求項５の発明は、記録媒体の表裏を反転させる反転機構を有する。
【００１３】
請求項６の発明では、前記加湿部は、加湿された気体を記録媒体へ供給する供給幅が記録媒体の幅以下である。
【００１４】
請求項６の発明では、前記加湿部は、前記供給幅を調整可能な調整機構を有する。
【００１５】
請求項７の発明は、前記冷却部の冷却温度が予め定められた基準冷却温度より高いこと、前記記録媒体の媒体温度が予め定められた基準媒体温度よりも高いこと、前記加湿装置内の装置内温度が予め定められた基準装置内温度よりも高いこと、及び前記記録媒体の含水率が予め定められた基準含水率よりも低いことの少なくとも１つの条件を満たす場合において、前記加湿部の加湿量が予め定められた設定値よりも多くなるように前記加湿部を制御する制御部を有する。
【００１６】
請求項８の発明は、前記記録媒体の媒体温度が予め定められた基準媒体温度よりも高いこと、前記加湿装置内の装置内温度が予め定められた基準装置内温度よりも高いこと、及び前記記録媒体の含水率が予め定められた基準含水率よりも低いことの少なくとも１つの条件を満たす場合において、前記冷却部の冷却温度が予め定められた設定値よりも低くなるように前記冷却部を制御する制御部を有する。
【発明の効果】
【００１７】
本発明の請求項１の構成によれば、常温の記録媒体を加湿する構成に比べ、吐出部の乾燥を抑制できる。
【００１８】
本発明の請求項２の構成によれば、供給幅が記録媒体の幅を超える構成に比べ、記録媒体以外のものが加湿されることを抑制できる。
【００１９】
本発明の請求項２の構成によれば、供給幅が特定の幅に固定されている構成に比べ、異なる幅の記録媒体を用いる場合においても、記録媒体以外のものが加湿されることを抑制できる。
【００２０】
本発明の請求項３の構成によれば、冷却部の冷却温度、記録媒体の媒体温度、吐出装置内の装置内温度、及び記録媒体の含水率に関わらず加湿部の加湿量を制御する構成に比べ、記録媒体の含水率を所望の含水率にしやすい。
【００２１】
本発明の請求項４の構成によれば、記録媒体の媒体温度、吐出装置内の装置内温度、及び記録媒体の含水率に関わらず冷却部の冷却温度を制御する構成に比べ、記録媒体の含水率を所望の含水率にしやすい。
【００２２】
本発明の請求項６の構成によれば、常温の記録媒体を加湿する構成に比べ、吐出部の乾燥を抑制できる。
【００２３】
本発明の請求項５の構成によれば、記録媒体を反転させる専用の機構を用いる場合に比べ、装置の点数を低減できる。
【００２４】
本発明の請求項６の構成によれば、供給幅が記録媒体の幅を超える構成に比べ、記録媒体以外のものが加湿されることを抑制できる。
【００２５】
本発明の請求項６の構成によれば、供給幅が特定の幅に固定されている構成に比べ、異なる幅の記録媒体を用いる場合においても、記録媒体以外のものが加湿されることを抑制できる。
【００２６】
本発明の請求項７の構成によれば、冷却部の冷却温度、記録媒体の媒体温度、加湿装置内の装置内温度、及び記録媒体の含水率に関わらず加湿部の加湿量を制御する構成に比べ、記録媒体の含水率を所望の含水率にしやすい。
【００２７】
本発明の請求項８の構成によれば、記録媒体の媒体温度、加湿装置内の装置内温度、及び記録媒体の含水率に関わらず冷却部の冷却温度を制御する構成に比べ、記録媒体の含水率を所望の含水率にしやすい。
【図面の簡単な説明】
【００２８】
【図１】第一実施形態に係る画像形成装置の構成を示す概略図である。
【図２】第一実施形態に係る加湿装置の吹出口の幅と連帳紙の幅との関係を示す図である。
【図３】第一実施形態に係る加湿装置の調整機構を示す斜視図である。
【図４】第一実施形態に係る制御系を示すブロック図である。
【図５】第二実施形態に係る画像形成装置の構成を示す概略図である。
【図６】第三実施形態に係る画像形成装置の構成を示す概略図である。
【図７】第三実施形態に係る反転装置の構成を示す概略図である。
【発明を実施するための形態】
【００２９】
以下に、本発明に係る実施形態の一例を図面に基づき説明する。
【００３０】
＜第一実施形態＞
（画像形成装置１０）
まず、画像形成装置１０（吐出装置の一例）について説明する。図１は、画像形成装置１０の構成を示す概略図である。
【００３１】
図１に示されるように、画像形成装置１０は、画像形成装置本体１３（筐体）と、連帳紙Ｐ（記録媒体の一例）を冷却する冷却部２０と、連帳紙Ｐを加湿する加湿器３０（加湿部の一例）と、連帳紙Ｐにインク滴（液滴の一例）を吐出する吐出ユニット４０（吐出部の一例）と、を備えている。
【００３２】
また、画像形成装置１０は、連帳紙Ｐ（記録媒体の一例）を搬送する搬送部１６と、連帳紙Ｐ上のインクを乾燥する乾燥部５０と、画像形成装置１０の各部を制御する制御部９０と、画像形成装置本体１３の内部の温度を測定する温度センサ９９と、を備えている。
【００３３】
さらに、画像形成装置１０は、冷却部２０の温度を測定する温度センサ９１と、連帳紙Ｐの温度を測定する温度センサ９３と、連帳紙Ｐの含水率を測定する含水率センサ９５と、を備えている。
【００３４】
冷却部２０、加湿器３０、吐出ユニット４０、乾燥部５０は、連帳紙Ｐの搬送方向の上流側から下流側に向かってこの順で配置されている。したがって、搬送部１６によって搬送される連帳紙Ｐの各部分に対して、冷却動作、加湿動作、吐出動作及び乾燥動作が、この順で実行される。
【００３５】
（搬送部１６）
搬送部１６は、連帳紙Ｐを巻き出す巻出ロール６２と、連帳紙Ｐを巻き取る巻取ロール６４と、連帳紙Ｐを搬送する複数の搬送ロール６６と、を有している。巻取ロール６４は、駆動部６９によって回転駆動される。これにより、巻取ロール６４が連帳紙Ｐを巻き取ると共に、巻出ロール６２が連帳紙Ｐを巻き出す。
【００３６】
複数の搬送ロール６６は、巻出ロール６２と巻取ロール６４との間で、連帳紙Ｐに巻き掛けられている。これにより、巻出ロール６２から巻取ロール６４までの連帳紙Ｐの搬送経路が定められている。複数の搬送ロール６６は、巻取ロール６４が連帳紙Ｐを巻き取ることで、巻取ロール６４側へ進行する連帳紙Ｐに従動回転する。
【００３７】
（吐出ユニット４０）
吐出ユニット４０は、ブラック（Ｋ）、イエロー（Ｙ）、マゼンタ（Ｍ）、シアン（Ｃ）の各色のインク滴（液滴の一例）を連帳紙Ｐに吐出する吐出ヘッド４２Ｋ、４２Ｙ、４２Ｍ、４２Ｃ（以下、４２Ｋ〜４２Ｃという）を有している。この吐出ヘッド４２Ｋ〜４２Ｃから各色のインク滴が連帳紙Ｐに吐出されることで、連帳紙Ｐに画像が形成される。
【００３８】
（乾燥部５０）
乾燥部５０は、図１に示されるように、筐体５２と、筐体５２の内部に配置された複数の赤外線ヒータ５４と、を有している。筐体５２の上部には、連帳紙Ｐが入る入口５２Ａが形成されている。筐体５２の下部には、連帳紙Ｐが出る出口５２Ｂが形成されている。
【００３９】
複数の赤外線ヒータ５４は、筐体５２の内部で搬送される連帳紙Ｐの画像形成面に対向して、上下方向に沿って配置されている。乾燥部５０では、赤外線ヒータ５４が連帳紙Ｐの画像形成面を加熱することで、画像形成面上のインクを乾燥させる。
【００４０】
（冷却部２０）
冷却部２０は、図１に示されるように、連帳紙Ｐを冷却する第一冷却ロール２１及び第二冷却ロール２２を有している。この第一冷却ロール２１及び第二冷却ロール２２に対して、連帳紙ＰがＳ字状に巻き掛けられている。これにより、第一冷却ロール２１の外周面が連帳紙Ｐの画像形成面に接触し、第二冷却ロール２２の外周面が連帳紙Ｐの非画像形成面（画像形成面とは反対の面）に接触している。第一冷却ロール２１及び第二冷却ロール２２は、巻取ロール６４側へ進行する連帳紙Ｐに従動回転するようになっている。
【００４１】
第一冷却ロール２１及び第二冷却ロール２２は、それぞれ、円筒状のロールで構成されている。第一冷却ロール２１及び第二冷却ロール２２は、熱伝導に優れる材料、例えば、アルミニウム等の金属材料で構成されている。
【００４２】
第一冷却ロール２１の両端部及び第二冷却ロール２２の両端部は、それぞれ、例えば、冷媒が流通する流通管（図示省略）を介して、単一の熱交換器（図示省略）に並列に接続されている。当該熱交換器で冷却された冷媒が、当該流通管を介して第一冷却ロール２１及び第二冷却ロール２２の内部を流通することで第一冷却ロール２１及び第二冷却ロール２２の温度が低下する。なお、第一冷却ロール２１及び第二冷却ロール２２は、略同一の温度とされる。
【００４３】
そして、冷却部２０では、第一冷却ロール２１及び第二冷却ロール２２の外周面が連帳紙Ｐに接触することで、連帳紙Ｐを冷却する。第一冷却ロール２１及び第二冷却ロール２２は、例えば、外周面の温度（冷却温度）が、例えば、３℃以上２０℃以下の範囲で設定可能となっている。
【００４４】
（加湿器３０）
加湿器３０は、加湿装置本体３２と、加湿装置本体３２に形成され、加湿された加湿空気（気体の一例）を吹き出す吹出口３４と、を有している。吹出口３４は、第二冷却ロール２２に巻き掛けられた連帳紙Ｐに対向する位置で開口している。
【００４５】
加湿器３０では、例えば、加湿装置本体３２において加熱により水を蒸発させて水蒸気を発生させ、この水蒸気を、加湿装置本体３２に備えられた送風機（図示省略）によって、空気と共に吹出口３４から送り出すことで、加湿空気が生成される。加湿器３０の加湿量（１時間当たりの水蒸気の放出量）は、例えば、５０ｍｌ／ｈ以上、５００ｍｌ／ｈ以下の範囲で設定可能となっている。この加湿量で加湿することで、加湿器３０では、連帳紙Ｐにおける吹出口３４に対向する部分付近の湿度を、例えば、５０％以上９０％以下の湿度に設定可能となっている。
【００４６】
吹出口３４の幅（第二冷却ロール２２の軸方向に沿った長さ）は、図２に示されるように、連帳紙Ｐの幅以下とされている。そして、吹出口３４は、連帳紙Ｐの一方の側端から他方の側端までの範囲で加湿空気を連帳紙Ｐに吹き付けることで、加湿空気を連帳紙Ｐに供給している。すなわち、加湿器３０が、加湿空気を連帳紙Ｐに供給する供給幅は、連帳紙Ｐの幅以下とされている。
【００４７】
加湿器３０は、図３に示されるように、連帳紙Ｐの幅に基づき、加湿空気を連帳紙Ｐに供給する供給幅を調整可能な調整機構３６を有している。調整機構３６は、具体的には、例えば、吹出口３４の一部を開閉するシャッター３８（開閉部）で構成されている。シャッター３８は、吹出口３４の幅方向一端部及び他端部のそれぞれに配置されている。シャッター３８が、手動又は駆動により、吹出口３４の幅方向一端部及び他端部を閉鎖することで、吹出口３４の幅、すなわち、供給幅が狭くされる。なお、図２では、調整機構３６の図示を省略している。また、調整機構３６としては、前述の構成に限られず、例えば、吹出口３４を上方又は下方から段階的に開閉する構成であってもよい。
【００４８】
このように、加湿器３０は、水蒸気を連帳紙Ｐに供給して連帳紙Ｐを加湿する。なお、加湿器３０は、温度が低下した状態の連帳紙Ｐを加湿すればよく、連帳紙Ｐの各部に対する冷却動作及び加湿動作の実行開始のタイミングは、前後してもよい。
【００４９】
（制御部９０）
制御部９０には、図４に示されるように、冷却部２０の温度（以下、冷却温度という）を測定する温度センサ９１と、連帳紙Ｐの温度（以下、媒体温度という）を測定する温度センサ９３と、が接続されている。また、制御部９０には、画像形成装置本体１３の内部の温度（以下、装置内温度という）を測定する温度センサ９９と、連帳紙Ｐの含水率（以下、用紙含水率という）を測定する含水率センサ９５と、が接続されている。
【００５０】
温度センサ９１は、一例として、第二冷却ロール２２の外周面の温度を測定する。すなわち、本実施形態では、冷却温度として、冷却部２０自体の温度を測定する。本実施形態では、第一冷却ロール２１及び第二冷却ロール２２は、略同一の温度とされているため、第二冷却ロール２２のみの温度を測定しているが、例えば、第一冷却ロール２１及び第二冷却ロール２２の温度を測定して、その２つの温度を平均した温度を冷却温度としてもよい。すなわち、冷却部が、複数の冷却部材を有する場合は、それぞれの温度を参照して冷却温度を求めてもよい。さらに、第一冷却ロール２１及び第二冷却ロール２２を流通する冷媒の温度を測定して冷却温度としてもよい。この場合、第一冷却ロール２１及び第二冷却ロール２２に供給される前、すなわち、連帳紙Ｐとの熱交換がなされる前の冷媒の温度を冷却温度としてもよい。
【００５１】
また、温度センサ９３は、第二冷却ロール２２と吐出ユニット４０との間に配置されている。すなわち、温度センサ９３は、第一冷却ロール２１及び第二冷却ロール２２によって冷却されると共に加湿器３０で加湿された連帳紙Ｐの温度を、連帳紙Ｐが吐出ユニット４０に搬送される前に測定する。なお、本実施形態では、加湿器３０によって加湿された後の連帳紙Ｐの温度を測定するが、加湿前の連帳紙Ｐの温度を測定してもよい。すなわち、冷却部２０による冷却後の連帳紙Ｐの温度を測定すればよく、加湿の有無は不問である。
【００５２】
含水率センサ９５は、例えば、連帳紙Ｐの電気抵抗値を測定し、当該電気抵抗値を含水率に換算して、連帳紙Ｐの含水率を求める。また、含水率センサ９５は、図１に示されるように、加湿器３０と吐出ユニット４０との間に配置されている。すなわち、含水率センサ９５は、加湿器３０によって加湿された連帳紙Ｐの含水率を、連帳紙Ｐが吐出ユニット４０に搬送される前に測定する。連帳紙Ｐの含水率は、連帳紙Ｐの重量を１００としたときの水分の重量であり、連帳紙Ｐの含水率が４％以上７％以下の範囲に調整されることが望ましい。連帳紙Ｐの含水率が４％未満であると、吐出ユニット４０のノズルから吸湿し、インクの不吐出を生じるおそれがある。連帳紙Ｐの含水率が７％を超えると、連帳紙Ｐにコシがなくなり、連帳紙Ｐにしわが発生しやすくなる。
【００５３】
各温度センサ９１、９３、９９及び含水率センサ９５で測定された測定結果が、各温度センサ９１、９３、９９及び含水率センサ９５から制御部９０へ送られる。これにより、制御部９０は、冷却温度、媒体温度、装置内温度及び用紙含水率の測定結果を取得する。
【００５４】
そして、制御部９０は、取得した媒体温度、装置内温度、用紙含水率の測定結果に基づいて、第一冷却ロール２１及び第二冷却ロール２２の冷却温度を制御する。
【００５５】
具体的には、制御部９０は、例えば、媒体温度及び装置内温度が、それぞれ、予め定められた基準媒体温度以下、予め定められた基準装置内温度以下である場合、かつ、用紙含水率が予め定められた基準含水率以上である場合に、冷却温度を予め定められた設定冷却温度（設定値の一例）とする。そして、制御部９０は、媒体温度が予め定められた基準媒体温度よりも高いこと、装置内温度が予め定められた基準装置内温度よりも高いこと、及び用紙含水率が予め定められた基準含水率よりも低いことの少なくとも１つの条件を満たす場合において、冷却温度を設定冷却温度よりも低い冷却温度とする。
【００５６】
なお、基準媒体温度は、例えば、１０℃以上２０℃以下の範囲で設定され、基準装置内温度は、例えば、２０℃以上２６℃以下の範囲で設定され、基準含水率は、例えば、４％以上７％以下の範囲で設定され、設定冷却温度は、例えば、５℃以上２０℃以下の範囲で設定される。冷却温度は、例えば、第一冷却ロール２１及び第二冷却ロール２２を流通する冷媒の温度や流量によって、制御される。
【００５７】
また、制御部９０は、取得した冷却温度、媒体温度、装置内温度及び用紙含水率の測定結果に基づいて、加湿器３０の加湿量を制御する。
【００５８】
具体的には、制御部９０は、例えば、冷却温度、媒体温度及び装置内温度が、それぞれ、予め定められた基準冷却温度以下であり、予め定められた基準媒体温度以下であり、予め定められた基準装置内温度以下である場合、かつ、用紙含水率が予め定められた基準含水率以上である場合に、加湿器３０の加湿量を予め定められた設定加湿量（設定値の一例）とする。そして、制御部９０は、例えば、冷却温度が予め定められた基準冷却温度よりも高いこと、媒体温度が予め定められた基準媒体温度よりも高いこと、装置内温度が予め定められた基準装置内温度よりも高いこと、及び用紙含水率が予め定められた基準含水率よりも低いことの少なくとも１つの条件を満たす場合において、加湿器３０の加湿量を設定加湿量よりも多い加湿量とする。
【００５９】
基準冷却温度は、例えば、５℃以上２０℃以下の範囲で設定され、設定加湿量は、例えば、５０ｍｌ／ｈ以上４００ｍｌ／ｈ以下の範囲で設定される。加湿器３０の加湿量は、例えば、吹出口３４から吹き出される加湿空気の流量や湿度によって、制御される。
【００６０】
なお、制御部９０は、媒体温度、装置内温度及び用紙含水率の測定結果が基づいて、冷却温度を制御したが、媒体温度、装置内温度及び用紙含水率の少なくとも１つの測定結果が基づいて、冷却温度を制御すればよい。この場合、測定結果が用いられないセンサは、設けなくてもよい。
【００６１】
また、制御部９０は、冷却温度、媒体温度、装置内温度及び用紙含水率の測定結果が基づいて、加湿器３０の加湿量を制御したが、冷却温度、媒体温度、装置内温度及び用紙含水率の少なくとも１つの測定結果が基づいて、加湿器３０の加湿量を制御すればよい。この場合、測定結果が用いられないセンサは、設けなくてもよい。
【００６２】
制御部９０は、媒体温度が予め定められた基準媒体温度よりも低いこと、装置内温度が予め定められた基準装置内温度よりも低いこと、及び用紙含水率が予め定められた基準含水率よりも高いことの少なくとも１つの条件を満たす場合において、冷却温度を設定冷却温度よりも高い冷却温度としてもよい。
【００６３】
また、制御部９０は、冷却温度が予め定められた基準冷却温度よりも低いこと、媒体温度が予め定められた基準媒体温度よりも低いこと、装置内温度が予め定められた基準装置内温度よりも低いこと、及び用紙含水率が予め定められた基準含水率よりも高いことの少なくとも１つの条件を満たす場合において、加湿器３０の加湿量を設定加湿量よりも少ない加湿量としてもよい。
【００６４】
（本実施形態に係る作用）
本実施形態では、巻出ロール６２から巻き出された連帳紙Ｐは、第一冷却ロール２１で冷却された後、第二冷却ロール２２で冷却されている状態で、加湿器３０により加湿される。
【００６５】
加湿器３０により加湿された連帳紙Ｐが吐出ヘッド４２Ｋ〜４２Ｃへ搬送される。吐出ヘッド４２Ｋ〜４２Ｃから連帳紙Ｐに各色のインク滴が吐出され、連帳紙Ｐに画像が形成される。画像が形成された連帳紙Ｐは、乾燥部５０でインクが乾燥された後、巻取ロール６４によって巻き取られる。
【００６６】
本実施形態では、第一冷却ロール２１及び第二冷却ロール２２により温度が低下した状態の連帳紙Ｐが加湿される。このため、常温の連帳紙Ｐを加湿する構成（比較例）に比べ、飽和蒸気圧が低い連帳紙Ｐに加湿空気が供給されるので、連帳紙Ｐに供給された加湿空気中の水蒸気が凝縮しやすい。これにより、加湿空気が水分として連帳紙Ｐに吸収され、常温の連帳紙Ｐを加湿する構成（比較例）に比べ、連帳紙Ｐの含水率が高くなる。この含水率が高い連帳紙Ｐが吐出ヘッド４２Ｋ〜４２Ｃへ搬送されるため、常温の連帳紙Ｐを加湿する構成（比較例）に比べ、吐出ヘッド４２Ｋ〜４２Ｃから吸湿せず、吐出ヘッド４２Ｋ〜４２Ｃのノズルの乾燥が抑制される。これにより、ノズルからのインク滴の不吐出などの吐出不良が抑制される。
【００６７】
また、連帳紙Ｐの含水率が高いことで連帳紙Ｐの帯電が抑制され、連帳紙Ｐの帯電による反発力でインクミストを吐出ヘッド４２Ｋ〜４２Ｃのノズル面に付着させることが抑制される。
【００６８】
本実施形態では、加湿器３０が、加湿空気を連帳紙Ｐに供給する供給幅は、連帳紙Ｐの幅以下とされている。
【００６９】
このため、加湿空気を連帳紙Ｐに供給する供給幅が連帳紙Ｐの幅を超える構成（比較例）に比べ、連帳紙Ｐ以外のもの（例えば、第一冷却ロール２１及び第二冷却ロール２２）が加湿されることが抑制される。これにより、連帳紙Ｐ以外のもの（例えば、第一冷却ロール２１及び第二冷却ロール２２）での結露が抑制される。
【００７０】
また、本実施形態では、加湿器３０は、連帳紙Ｐの幅に基づき、加湿空気を連帳紙Ｐに供給する供給幅を調整可能な調整機構３６を有している。
【００７１】
このため、異なる幅の連帳紙Ｐを用いる場合においても、加湿空気を連帳紙Ｐに供給する供給幅が特定の幅に固定されている構成に比べ、連帳紙Ｐ以外のもの（例えば、第一冷却ロール２１及び第二冷却ロール２２）が加湿されることが抑制される。
【００７２】
また、本実施形態では、前述のように、制御部９０は、取得した媒体温度、装置内温度、用紙含水率の測定結果に基づいて、第一冷却ロール２１及び第二冷却ロール２２の冷却温度を制御する。
【００７３】
このため、媒体温度、装置内温度及び用紙含水率に関わらず、第一冷却ロール２１及び第二冷却ロール２２の冷却温度を制御する構成（比較例）に比べ、連帳紙Ｐの含水率を所望の含水率にしやすい。
【００７４】
また、本実施形態では、前述のように、制御部９０は、取得した冷却温度、媒体温度、装置内温度及び用紙含水率の測定結果に基づいて、加湿器３０の加湿量を制御する。
【００７５】
このため、冷却温度、媒体温度、装置内温度、用紙含水率に関わらず加湿器３０の加湿量を制御する構成（比較例）に比べ、連帳紙Ｐの含水率を所望の含水率にしやすい。
【００７６】
（変形例）
本実施形態では、冷却部２０では、第一冷却ロール２１及び第二冷却ロール２２によって連帳紙Ｐを冷却していたがこれに限られない。冷却部としては、１つ又は３つ以上の冷却ロールで連帳紙Ｐを冷却してもよい。また、冷却部としては、ロール状でなくてもよく、例えば、連帳紙Ｐとの接触部分が平面状に形成された形状であってもよい。また、冷却部は、連帳紙Ｐに従動しなくてもよく、連帳紙Ｐが接触した状態で滑りながら冷却部に対して移動する構成であってもよい。また、冷却部としては、連帳紙Ｐに対して非接触で連帳紙Ｐを冷却する構成であってもよい。この場合、例えば、冷却部で生成された冷気によって連帳紙Ｐを冷却する。
【００７７】
また、本実施形態では、記録媒体Ｐとして連帳紙Ｐを用いたが、搬送方向の長さが予め定められた長さとされたカット紙などを用いてもよい。
【００７８】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【００７９】
（評価）
前述の画像形成装置１０（実施例）と、画像形成装置１０における冷却部２０（第一冷却ロール２１及び第二冷却ロール２２）を有さない画像形成装置（比較例）と、について、連帳紙Ｐの含水率を測定することで評価を行った。
【００８０】
この評価では、連帳紙Ｐとして、日本製紙製「ＮＰｉフォーム（坪量６４ｇ／ｍ２）」を用い、画像形成装置の装置内温度２４℃、装置内湿度４０％ＲＨの環境下で評価を行った。また、連帳紙Ｐにおける吹出口３４に対向する部分付近の湿度が、７０％となるように、加湿器３０の加湿量を２００ｍｌ／ｈに設定した。
【００８１】
実施例の画像形成装置１０では、第二冷却ロール２２の冷却温度を１５℃に設定した。
【００８２】
この結果、実施例の画像形成装置１０では、連帳紙Ｐの含水率が５％となったのに対して、比較例の画像形成装置では、連帳紙Ｐの含水率が２．７％となった。連帳紙Ｐの含水率が４％未満では、前述のように、吐出ユニット４０のノズルから吸湿し、インクの不吐出を生じるおそれがある。
【００８３】
＜第二実施形態＞
（画像形成装置２００）
まず、画像形成装置２００（吐出装置の一例）について説明する。なお、第１実施形態と同一に構成された部分については、同一符号を付して、適宜、説明を省略する。図５は、画像形成装置２００の構成を示す概略図である。
【００８４】
図５に示されるように、画像形成装置２００は、連帳紙Ｐ（記録媒体の一例）を搬送する搬送部１６と、画像形成装置本体１３（筐体）と、加湿装置２３０と、を有している。
【００８５】
画像形成装置本体１３には、連帳紙Ｐにインク滴（液滴の一例）を吐出する吐出ユニット４０（吐出部の一例）と、連帳紙Ｐ上のインクを乾燥する乾燥部５０と、が設けられている。
【００８６】
加湿装置２３０は、加湿装置本体２３３と、吐出ユニット４０へ向けて搬送される連帳紙Ｐ（記録媒体の一例）を冷却する冷却部２０と、連帳紙Ｐを加湿する加湿器３０（加湿部の一例）と、加湿装置２３０の各部を制御する制御部９０と、を備えている。さらに、加湿装置２３０は、加湿装置本体２３３の内部の温度を測定する温度センサ９９と、冷却部２０の温度を測定する温度センサ９１と、連帳紙Ｐの温度を測定する温度センサ９３と、連帳紙Ｐの含水率を測定する含水率センサ９５と、を備えている。
【００８７】
（第二実施形態に係る作用）
第二実施形態は、前述の第一実施形態と同様の作用を有する。すなわち、第二実施形態では、巻出ロール６２から巻き出された連帳紙Ｐは、第一冷却ロール２１で冷却された後、第二冷却ロール２２で冷却されている状態で、加湿器３０により加湿される。
【００８８】
加湿器３０により加湿された連帳紙Ｐが吐出ヘッド４２Ｋ〜４２Ｃへ搬送される。吐出ヘッド４２Ｋ〜４２Ｃから連帳紙Ｐに各色のインク滴が吐出され、連帳紙Ｐに画像が形成される。画像が形成された連帳紙Ｐは、乾燥部５０でインクが乾燥された後、巻取ロール６４によって巻き取られる。
【００８９】
本実施形態では、第一冷却ロール２１及び第二冷却ロール２２により温度が低下した状態の連帳紙Ｐが加湿される。このため、常温の連帳紙Ｐを加湿する構成（比較例）に比べ、飽和蒸気圧が低い連帳紙Ｐに加湿空気が供給されるので、連帳紙Ｐに供給された加湿空気中の水蒸気が凝縮しやすい。これにより、加湿空気が水分として連帳紙Ｐに吸収され、常温の連帳紙Ｐを加湿する構成（比較例）に比べ、連帳紙Ｐの含水率が高くなる。この含水率が高い連帳紙Ｐが吐出ヘッド４２Ｋ〜４２Ｃへ搬送されるため、常温の連帳紙Ｐを加湿する構成（比較例）に比べ、吐出ヘッド４２Ｋ〜４２Ｃから吸湿せず、吐出ヘッド４２Ｋ〜４２Ｃのノズルの乾燥が抑制される。これにより、ノズルからのインク滴の不吐出などの吐出不良が抑制される。
【００９０】
また、連帳紙Ｐの含水率が高いことで連帳紙Ｐの帯電が抑制され、連帳紙Ｐの帯電による反発力でインクミストを吐出ヘッド４２Ｋ〜４２Ｃのノズル面に付着させることが抑制される。
【００９１】
＜第三実施形態＞
（画像形成装置３００）
まず、画像形成装置３００（吐出装置の一例）について説明する。なお、第１実施形態と同一に構成された部分については、同一符号を付して、適宜、説明を省略する。図６は、画像形成装置３００の構成を示す概略図である。
【００９２】
図６に示されるように、画像形成装置３００は、連帳紙Ｐの表面（一方の面の一例）に画像を形成する第一画像形成装置３１１と、連帳紙Ｐの裏面（他方の面の一例）に画像を形成する第二画像形成装置３１２と、連帳紙Ｐ（記録媒体の一例）を搬送する搬送部３１６と、を備えている。
【００９３】
搬送部３１６は、連帳紙Ｐを巻き出す巻出ロール６２と、連帳紙Ｐを巻き取る巻取ロール６４と、連帳紙Ｐの表裏を反転させる反転装置３８０（加湿装置の一例）と、連帳紙Ｐを搬送する複数の搬送ロール６６と、を有している。巻取ロール６４は、駆動部６９によって回転駆動される。これにより、巻取ロール６４が連帳紙Ｐを巻き取ると共に、巻出ロール６２が連帳紙Ｐを巻き出す。
【００９４】
複数の搬送ロール６６は、巻出ロール６２と巻取ロール６４との間で連帳紙Ｐに巻き掛けられている。これにより、巻出ロール６２から巻取ロール６４までの連帳紙Ｐの搬送経路が定められている。複数の搬送ロール６６は、巻取ロール６４が連帳紙Ｐを巻き取ることで、巻取ロール６４側へ進行する連帳紙Ｐに従動回転する。
【００９５】
本実施形態では、巻出ロール６２から巻取ロール６４までの搬送経路において、上流側（巻出ロール６２側）に第一画像形成装置３１１が配置され、下流側（巻取ロール６４側）に第二画像形成装置３１２が配置されている。
【００９６】
そして、反転装置３８０は、巻出ロール６２から巻取ロール６４までの搬送経路において、第一画像形成装置３１１と第二画像形成装置３１２との間に配置されている。
【００９７】
これにより、反転装置３８０が、巻出ロール６２から巻き出されて第一画像形成装置３１１を搬送された連帳紙Ｐの表裏を反転させ、表裏が反転された連帳紙Ｐが第二画像形成装置３１２を搬送された後、巻取ロール６４によって巻き取られる。
【００９８】
第一画像形成装置３１１は、画像形成装置本体１３（筐体）と、連帳紙Ｐにインク滴（液滴の一例）を吐出する吐出ユニット４０（吐出部の一例）と、連帳紙Ｐ上のインクを乾燥する乾燥部５０と、連帳紙Ｐを冷却する冷却ロール３７９と、を有している。
【００９９】
冷却ロール３７９の外周面には、連帳紙Ｐの画像形成面に巻き掛けられている。これにより、冷却ロール３７９の外周面が連帳紙Ｐの画像形成面に接触して連帳紙Ｐを冷却する。冷却ロール３７９は、巻取ロール７４側へ進行する連帳紙Ｐに従動回転するようになっている。すなわち、冷却ロール３７９は、搬送ロールとしても機能する。
【０１００】
第二画像形成装置３１２は、画像形成装置本体１３（筐体）と、連帳紙Ｐにインク滴（液滴の一例）を吐出する吐出ユニット４０（吐出部の一例）と、連帳紙Ｐ上のインクを乾燥する乾燥部５０と、を有している。
【０１０１】
反転装置３８０は、図７に示されるように、５つの搬送ロール３８１、３８２、３８３３８４、３８５を有する反転機構３８９を備えている。第一画像形成装置３１１で表面に画像が形成された連帳紙Ｐは、搬送ロール３８１によって、図７における右側に進行された後、搬送ロール３８２によって、図７の手前側へ折り返される。さらに、連帳紙Ｐは、搬送ロール３８３によって、図７の奥側へ折り返された後、搬送ロール３８４によって、図７の右側へ折り返される。これにより、連帳紙Ｐの裏面が上側を向くように反転される。反転された連帳紙Ｐは、搬送ロール３８５によって、図７における右側に進行されて、第二画像形成装置３１２に搬送される。
【０１０２】
搬送ロール３８３は、前述の第二冷却ロール２２と同様に構成されており、連帳紙Ｐを冷却する冷却部の一例として機能する。さらに、反転装置３８０は、連帳紙Ｐを加湿する加湿器３０（加湿部の一例）と、加湿装置２３０の各部を制御する制御部９０と、を備えている。また、反転装置３８０は、反転装置３８０の内部の温度を測定する温度センサ９９と、搬送ロール３８３の温度を測定する温度センサ９１と、連帳紙Ｐの温度を測定する温度センサ９３と、連帳紙Ｐの含水率を測定する含水率センサ９５と、を備えている。
【０１０３】
（第三実施形態に係る作用）
第三実施形態は、前述の第一実施形態と同様の作用を有する。すなわち、第三実施形態では、巻出ロール６２から巻き出された連帳紙Ｐは、第一画像形成装置３１１へ搬送される。第一画像形成装置３１１では、連帳紙Ｐの表面に対して、吐出動作、乾燥動作及び冷却動作が、この順で実行される。これにより、連帳紙Ｐの表面に画像が形成される。表面に画像が形成された連帳紙Ｐは、反転装置３８０へ搬送される。反転装置３８０では、連帳紙Ｐは、搬送ロール３８３で冷却されている状態で、加湿器３０により加湿される。
【０１０４】
加湿器３０により加湿された連帳紙Ｐは、表裏が反転されて第二画像形成装置３１２の吐出ヘッド４２Ｋ〜４２Ｃへ搬送される。吐出ヘッド４２Ｋ〜４２Ｃから連帳紙Ｐの裏面に各色のインク滴が吐出され、連帳紙Ｐの裏面に画像が形成される。裏面に画像が形成された連帳紙Ｐは、乾燥部５０でインクが乾燥された後、巻取ロール６４によって巻き取られる。
【０１０５】
本実施形態では、搬送ロール３８３により温度が低下した状態の連帳紙Ｐが加湿される。このため、常温の連帳紙Ｐを加湿する構成（比較例）に比べ、飽和蒸気圧が低い連帳紙Ｐに加湿空気が供給されるので、連帳紙Ｐに供給された加湿空気中の水蒸気が凝縮しやすい。これにより、加湿空気が水分として連帳紙Ｐに吸収され、常温の連帳紙Ｐを加湿する構成（比較例）に比べ、連帳紙Ｐの含水率が高くなる。この含水率が高い連帳紙Ｐが吐出ヘッド４２Ｋ〜４２Ｃへ搬送されるため、常温の連帳紙Ｐを加湿する構成（比較例）に比べ、吐出ヘッド４２Ｋ〜４２Ｃから吸湿せず、吐出ヘッド４２Ｋ〜４２Ｃのノズルの乾燥が抑制される。これにより、ノズルからのインク滴の不吐出などの吐出不良が抑制される。
【０１０６】
また、連帳紙Ｐの含水率が高いことで連帳紙Ｐの帯電が抑制され、連帳紙Ｐの帯電による反発力でインクミストを吐出ヘッド４２Ｋ〜４２Ｃのノズル面に付着させることが抑制される。
【符号の説明】
【０１０７】
１０、２００、３００ 画像形成装置（吐出装置の一例）
２０ 冷却部
３０ 加湿器（加湿部の一例）
３６ 調整機構
４０ 吐出ユニット（吐出部の一例）
９０ 制御部
２３０ 加湿装置
３８０ 反転装置（加湿装置の一例）
Ｐ 連帳紙（記録媒体の一例）
【図１】
0006668772.tif 000002
【図２】
0006668772.tif 000003
【図３】
0006668772.tif 000004
【図４】
0006668772.tif 000005
【図５】
0006668772.tif 000006
【図６】
0006668772.tif 000007
【図７】
0006668772.tif 000008